(57)【要約】【課題】ライが変わってもゴルフボールの飛距離があまり変化しない扱い易いゴルフクラブであって、なおかつ、芯を外してゴルフボールを打撃しても飛距離がある程度確保できる打ち易さも備えたゴルフクラブを提供する。【解決手段】ゴルフクラブヘッド１２は、平均比重を８．５以上とし、ゴルフクラブヘッドのフェース長さＬを８４ｍｍ以上９６ｍｍ以下とし、かつ、ネック長さＨが３５ｍｍ以上５５ｍｍ未満の場合、ゴルフクラブヘッドの重心を通りゴルフクラブヘッドのゴルフボール打撃面に垂直な軸回りの慣性モーメントをゴルフクラブヘッドの質量で除した値を９．０（ｃｍ２）以上とする。あるいは、ネック長さが５５ｍｍ以上７５ｍｍ以下の場合、上記慣性モーメントを上記質量で除した値を１０．１（ｃｍ２）以上とする。【選択図】図１
2004237020.tif 000002
【特許請求の範囲】
【請求項１】
ゴルフクラブシャフトの一端にゴルフクラブヘッドを、他端にグリップを備えたゴルフクラブであって、
ゴルフクラブヘッドの平均比重が８．５以上であり、ゴルフクラブヘッドのフェース長さが８４ｍｍ以上９６ｍｍ以下であり、ネック長さが３５ｍｍ以上５５ｍｍ未満であり、ゴルフクラブヘッドの重心を通りゴルフクラブヘッドのゴルフボール打撃面に垂直な軸回りの慣性モーメントをゴルフクラブヘッドの質量で除した値が９．０（ｃｍ２）以上であることを特徴とするゴルフクラブ。
【請求項２】
ゴルフクラブシャフトの一端にゴルフクラブヘッドを、他端にグリップを備えたゴルフクラブであって、
ゴルフクラブヘッドの平均比重が８．５以上であり、ゴルフクラブヘッドのフェース長さが８４ｍｍ以上９６ｍｍ以下であり、ネック長さが５５ｍｍ以上７５ｍｍ以下であり、ゴルフクラブヘッドの重心を通りゴルフクラブヘッドのゴルフボール打撃面に垂直な軸回りの慣性モーメントをゴルフクラブヘッドの質量で除した値が１０．１（ｃｍ２）以上であることを特徴とするゴルフクラブ。
【請求項３】
前記ゴルフボール打撃面のロフト角度が２０度以上４０度以下である請求項１または２に記載のゴルフクラブ。
【発明の詳細な説明】
【０００１】
【発明の属する技術分野】
本発明は、ゴルフクラブシャフトの一端にゴルフクラブヘッドを、他端にグリップを備えたゴルフクラブ、特に、アイアン系のゴルフクラブに関する。
【０００２】
【従来の技術】
アイアン系のゴルフクラブのうち、例えば３番〜８番、あるいは、さらに９番を含めたゴルフクラブは、飛距離を稼ぐドライバー等のウッド系のゴルフクラブやゴルフボールをピンに向けて正確に近づけ、あわよくばカップにチップインさせるウエッジ等のゴルフクラブと異なり、ゴルフボールをグリーン等の目標方向に正確な飛距離で飛翔させることが機能として求められている。また、ゴルフボールを常に目標に向けて正確に飛翔させるためには、ゴルファがゴルフボールをミスショットしても、ゴルフボールの飛翔方向が目標方向から大きく外れることなく、また、目標とする飛距離から大きく外れることなく安定した飛距離が確保できるものが望まれている。このような要請に対して、ゴルフクラブヘッドのスイートエリアの広さを大きくしたゴルフクラブヘッドが種々提案されている。
【０００３】
例えば、ゴルフヘッド本体部の比重を４．０ｇ／ｃｍ３  以上かつ１０ｇ／ｃｍ３  以下、打球面形成部の比重を１．７ｇ／ｃｍ３  以上かつ４．０ｇ／ｃｍ３  未満、トウ部の比重を１０．０ｇ／ｃｍ３  を越えかつ２２．０ｇ／ｃｍ３  以下とし、ゴルフクラブヘッドの重心位置を低重心化することで、ゴルフクラブヘッドの慣性モーメントおよびゴルフボール打撃面のスイートエリアの広さを確保しつつ、ゴルフボールの打ち出し角度を高くすることができるアイアンクラブヘッドが提案されている（特許文献１）。
【０００４】
また、ゴルフヘッド本体部の比重を４．０ｇ／ｃｍ３  以上かつ１０ｇ／ｃｍ３  以下、打球面形成部の比重を１．７ｇ／ｃｍ３  以上かつ４．０ｇ／ｃｍ３  未満、トウ部の比重を１０．０ｇ／ｃｍ３  を越えかつ２２．０ｇ／ｃｍ３  以下とし、ゴルフクラブヘッドのトー・ヒール方向の重心位置を所定の位置に調整することで、ゴルフクラブヘッドの慣性モーメントおよびゴルフボール打撃面のスイートエリアの広さを確保しつつ、ゴルフクラブヘッドのインパクト時の返り易さを抑制したゴルフクラブが提案されている（特許文献２）。
【０００５】
また、ゴルフクラブヘッドのヘッド本体を比重が６．０〜７．５の範囲にある一様な金属の材質で構成することで、ヘッドのスイートスポットを拡大し正確なショットを可能とし、スウィングし易くなるアイアン系のゴルフクラブヘッドが提案されている（特許文献３）。
【０００６】
これらは、いずれもゴルフクラブヘッドを大きくして（体積を増やして）スイートエリア（スイートスポット）を拡大させるので、ゴルフクラブヘッドの芯をたまたま外してゴルフボールを打撃してもある程度の飛距離が確保できる、いわゆるゴルフクラブの打ち易さが向上したものである。
【０００７】
【特許文献１】
特開平９−１５４９８６号公報
【特許文献２】
特開平９−１６４２２８号公報
【特許文献３】
特開平１０−１５１２４号公報
【０００８】
【発明が解決しようとする課題】
ところで、ゴルフクラブ、特に３番〜８番、あるいは、さらに９番を含めたアイアン系のゴルフクラブは、ゴルフボールをティーアップした状態で打撃する他、地面が傾斜したフェアウェイの芝、あるいは、ゴルフスウィングにとってスウィング抵抗となる芝の伸びた草地等のラフからゴルフボールを打撃する。このため、アイアン系のゴルフクラブは、ゴルフボールのライ（地面の傾斜状態や芝や草地の状態）が変わっても、ある程度の飛距離が確保できる扱い易さも一つの性能として求められている。
【０００９】
上記特許文献１〜３に記載されるゴルフクラブヘッドは、ゴルフクラブヘッドのスイートエリアを拡大するためにゴルフクラブヘッドを大きくするものであるため、このゴルフクラブの扱い易さは悪化する方向となる。すなわち、上記特許文献１〜３のゴルフクラブは、ゴルフクラブヘッドを大きくしてスイートエリアを拡大しているため、一定のライ、例えばティーアップした状態では芯を外してゴルフボールを打撃しても飛距離がある程度確保できる打ち易さを備えるものであるが、ライが変わった場合、ゴルフクラブヘッドが大きいためスウィング抵抗や地面の傾斜の影響を受けて飛距離が大きく変化する打ちづらい（扱いづらい）ものとなってしまう。
特に、上級者のゴルファには、ライが変わっても飛距離がある程度一定に確保される扱い易いゴルフクラブを望むものが多い。
【００１０】
そこで、本発明は、上記問題を解決するために、ゴルフクラブにおいて、ライが変わってもゴルフボールの飛距離がある程度一定に確保される扱い易いゴルフクラブであって、なおかつ、芯を外してゴルフボールを打撃しても飛距離がある程度確保できる打ち易さも備えたゴルフクラブを提供することを目的とする。
【００１１】
【課題を解決するための手段】
上記目的を達成するために、本発明は、ゴルフクラブシャフトの一端にゴルフクラブヘッドを、他端にグリップを備えたゴルフクラブであって、ゴルフクラブヘッドの平均比重が８．５以上であり、ゴルフクラブヘッドのフェース長さが８４ｍｍ以上９６ｍｍ以下であり、ネック長さが３５ｍｍ以上５５ｍｍ未満であり、ゴルフクラブヘッドの重心を通りゴルフクラブヘッドのゴルフボール打撃面に垂直な軸回りの慣性モーメントをゴルフクラブヘッドの質量で除した値が９．０（ｃｍ２）以上であることを特徴とするゴルフクラブを提供する。
【００１２】
さらに、本発明は、ゴルフクラブシャフトの一端にゴルフクラブヘッドを、他端にグリップを備えたゴルフクラブであって、ゴルフクラブヘッドの平均比重が８．５以上であり、ゴルフクラブヘッドのフェース長さが８４ｍｍ以上９６ｍｍ以下であり、ネック長さが５５ｍｍ以上７５ｍｍ以下であり、ゴルフクラブヘッドの重心を通りゴルフクラブヘッドのゴルフボール打撃面に垂直な軸回りの慣性モーメントをゴルフクラブヘッドの質量で除した値が１０．１（ｃｍ２）以上であることを特徴とするゴルフクラブを提供する。
【００１３】
また、上記ゴルフクラブは、前記ゴルフボール打撃面のロフト角度が２０度以上４０度以下であるのが好ましい。
【００１４】
【発明の実施の形態】
以下、本発明のゴルフクラブについて、添付の図面に示される好適実施例を基に詳細に説明する。
【００１５】
図１は、本発明のゴルフクラブの一例であるアイアン系のゴルフクラブ１０の正面図であり、図２は、ゴルフクラブ１０のフェース長さやネック部長さ等を説明する図である。
ゴルフクラブ１０は、図１に示すように、ゴルフクラブヘッド１２と、ゴルフクラブシャフト１４と、グリップ１６とを有し、ゴルフクラブシャフト１４の一端にゴルフクラブヘッド１２を、他端にグリップ１６を有して構成される。
ゴルフクラブヘッド１２は、ゴルフボールを打撃するフェース面（ゴルフボール打撃面）１８と、ゴルフクラブシャフト１４を挿入するネック部２０とを有する。
【００１６】
ゴルフクラブヘッド１２は、単一、あるいは、比重の異なる複数の金属材料で構成されており、ゴルフクラブヘッド１２の平均比重が８．５以上となっている。例えば、タングステン合金、タンタル合金あるいは銅合金等を、ステンレス鋼や軟鉄鋼等とともに用いて構成される。ゴルフクラブヘッド１２の平均比重の上限は特に制限されないが、ゴルフクラブヘッド１２が、ゴルフボールを打球して所定の飛距離が確保されるように質量をある程度確保し、かつ、ゴルフクラブヘッド１２の形状（フェース長さ、ゴルフクラブヘッドの重心を通りゴルフクラブヘッドのフェース面に垂直な軸回りの慣性モーメント）をある程度確保するために、平均比重の上限値を１２．５とするのが好ましい。
平均比重は好ましくは、９．０以上１２．５以下、より好ましくは、９．５以上１２．５以下とすることが、コンパクトで扱い易く、打ち易いゴルフクラブヘッドを構成する点から望ましい。
【００１７】
平均比重は、例えば容器に満たした水にゴルフクラブヘッド１２を浸漬して浸漬前後の質量の変化と予め測定されたゴルフクラブヘッド１２の質量とを用いて、ゴルフクラブヘッド１２の体積を求め、これより、ゴルフクラブヘッド１２の平均比重を求める。この場合のゴルフクラブヘッド１２の体積とは、ネック部材２０のゴルフクラブシャフト１４を挿入するホーゼル孔を含まない体積である。
【００１８】
また、ゴルフクラブヘッド１２のフェース長さＬ（図２参照）は８４ｍｍ以上９６ｍｍ以下となっている。さらに、ゴルフクラブヘッド１２のネック長さＨ（図２参照）は３５ｍｍ以上５５ｍｍ未満であり、ゴルフクラブヘッド１２の重心を通りゴルフクラブヘッド１２のフェース面１８に垂直な軸回りの慣性モーメントをゴルフクラブヘッド１２の質量で除した値は９．０（ｃｍ２）以上となっている。
【００１９】
ここで、フェース長さＬとは、図２に示すように、基準面２２に対してゴルフクラブ１０の設定されているライ角度通りに設置した状態において、基準面２２から高さＨ’＝１６ｍｍの位置のヒール側位置ｈとトウ側の最も張り出した位置ｔ’との間の、基準面２２およびフェース面１８に対して平行な成分に関する距離（図２中では左右方向の距離）をいう。
フェース長さＬが８４ｍｍ未満であると、フェース面１８が小さく見えゴルフボールを上手く打つことができるかゴルファに心理的不安感を与え、後述する比較例４や１０等で示すように、飛距離のばらつき比が大きくなる一方、フェース長さＬが９６ｍｍより長いと、ラフ等の芝や草の抵抗を大きく受けて、結果的には飛距離のばらつき比が大きくなる。
【００２０】
ネック長さＨとは、図２に示すように、基準面２２に対してゴルフクラブ１０の設定されているライ角度通りに設置した状態において、ゴルフクラブヘッド１２の最も上方に張り出した位置ｔの基準面２２からの垂直高さをいう。なお、垂直高さは、例えば、公知のハイトゲージ等によって測定することができる。
フェース長さＬおよびネック長さＨの測定は、後述するロフト角度測定器８０にゴルフクラブ１０をライ角度通りに設置した状態で測定してもよい。また、被測定物の状態としては、ゴルフクラブの状態で測定してもよいし、ゴルフクラブヘッド１２単体に真っ直ぐで嵌め合いの堅いシャフトピン等を差した状態で測定してもよい。
【００２１】
ゴルフクラブ１０は、ネック長さＨを３５ｍｍ以上５５ｍｍ未満とする条件でゴルフクラブヘッド１２の重心を通りゴルフクラブヘッド１２のフェース面１８に垂直な軸回りの慣性モーメントをゴルフクラブヘッド１２の質量で除した値を９．０（ｃｍ２）以上と規定するものであるが、このように、慣性モーメントを質量で除した値を規定する際に、ネック長さＨの範囲を条件とするのは、ネック長さＨの実質的な影響を受けることなく、上記慣性モーメントをゴルフクラブヘッド１２の質量で除した値を用いてゴルフクラブのスイートエリアの大小を評価するためである。
【００２２】
したがって、本発明のゴルフクラブは、ネック長さＨを３５ｍｍ以上５５ｍｍ未満とするゴルフクラブ１０の他に、ネック長さＨを５５ｍｍ以上７５ｍｍ以下とするゴルフクラブであってもよい。この場合、ゴルフクラブヘッドの重心を通りゴルフクラブヘッドのフェース面に垂直な軸回りの慣性モーメントをゴルフクラブヘッドの質量で除した値は１０．１（ｃｍ２）以上である。
なお、上記慣性モーメントをゴルフクラブヘッド１２の質量で除した値の上限は特に制限されないが、ネック長さＨが３５ｍｍ以上５５ｍｍ未満の場合、上限として１２．８（ｃｍ２）とするのが好ましく、ネック長さＨが５５ｍｍ以上７５ｍｍ以下の場合、上限として１３．９（ｃｍ２）とするのが好ましい。これらの上限値を超えるものは、ゴルフクラブヘッドの作製が極めて困難であり、実質的にこれらの上限値を越えるゴルフクラブは作製できない。
【００２３】
図３〜図１１は、ゴルフクラブヘッド１２の重心を通りゴルフクラブヘッド１２のフェース面１８に垂直な軸回りの慣性モーメントを測定する方法を説明する図である。
【００２４】
図３は、慣性モーメント測定器５０の斜視図である。
慣性モーメント測定器５０は、測定部５２、演算部５４、スタートレバー５５、表示部５６、操作ボタン５７を備え、測定部５２の上に慣性モーメントの測定対象物が載置され、スタートレバー５５を手で摘んで変位させた後、手を放して捩れ振動を起こさせ、この時の捩れ振動の周期を測ることによって演算部５４を通して慣性モーメントを測定し、表示部５６に慣性モーメントの数値を表示する装置である。
なお、慣性モーメント測定器５０として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００２５】
慣性モーメント測定器５０による慣性モーメントの測定は、図４（ａ）に示すように、慣性モーメント測定器５０に治具６１を固定して慣性モーメントＩａを測定し、次いで図４（ｂ）に示すように、治具６１の上面部６２にゴルフクラブ１０のゴルフクラブヘッド１２のフェース面１８を固定して慣性モーメントＩｂを測定し、（Ｉｂ−Ｉａ）よりゴルフクラブヘッド１２の慣性モーメントを得る。通常の慣性モーメント測定器では、上記Ｉａの数値は、操作ボタン５７を駆使し一連の手順によって自動的に風袋引きをされ、（Ｉｂ−Ｉａ）の数値が表示されるものである。
【００２６】
ゴルフクラブヘッド１２は、図５（ａ）に示すゴルフクラブヘッド１２の重心Ｇを通るフェース面１８の法線Ｎと、図５（ｂ）に示す慣性モーメント測定器５０の捩れ振動の回転軸Ｒとが、図５（ｃ）に示すように一致もしくは概ね一致するように慣性モーメント測定器５０に固定されることが好ましい。概ね一致とは、図６に示すように法線Ｎがフェース面１８を通る点を点ｇ、回転軸Ｒがフェース面１８を通る点を点ｒとすると、点ｇと点ｒとのなす距離ｄが３ｍｍ以内、好ましくは２ｍｍ以内、より好ましくは１ｍｍ以内とすることである。この範囲内にゴルフクラブヘッド１２のフェース面１８を固定することによって、より正確に本発明の慣性モーメントを測定することが可能になる。ゴルフクラブヘッド１２のフェース面１８は平面であり、治具６１の上面部６２とぴったりと接触するので、点ｇと点ｒを一致もしくは概ね一致させることで、ゴルフクラブヘッドの重心Ｇを通るフェース面１８に垂直な方向の慣性モーメントを得ることができる。
【００２７】
また、上記点ｇと点ｒとの距離ｄを上記範囲内とする必要は必ずしもなく、点ｇと点ｒとの距離ｄを知り、自動的に風袋引きをして得られた（Ｉｂ−Ｉａ）の数値からゴルフクラブヘッド１２の質量に距離ｄの自乗を掛けた積を減算することによって補正することができる。この補正方法によってゴルフクラブヘッド１２の重心Ｇを通るフェース面１８に垂直な方向の慣性モーメントを得てもよい。このように、ゴルフクラブヘッド１２の重心Ｇを通るフェース面１８に垂直な方向の慣性モーメントの測定方法については、特に限定されない。
【００２８】
ゴルフクラブヘッド１２のフェース面１８上の点ｇは、図７に示すような重心測定器７０によって求められる。重心測定器７０は、上部に重心測定対象物を支持する支持部７２を備え、この支持部７２が測定対象物を平衡に支持する測定対象物の位置を知ることができるものである。すなわち、重心の測定方法は、図８に示すようにゴルフクラブヘッド１２を、支持部７２に載せ、手を放しても落ちない平衡な位置を探しだす。つまり、図９（ａ）に示すように、フェース面１８と支持部７２の接触部に点ｇを含んでいれば、ゴルフクラブヘッド１２を支持部７２に載せて手を放しても落ちないが、図９（ｂ）に示すように、フェース面１８と支持部７２の接触部に点ｇを含んでいなければ、ゴルフクラブヘッド１２は、支持部７２に載せて手を放すと落ちる。このことを利用して点ｇを求めるものである。
【００２９】
支持部７２は，平面または３点以上で支持する形態であることが好ましい。また、支持部７２の面積は、１５ｍｍ２  以下であることが好ましい。また、下限はゴルフクラブヘッドが支えられる限り特に限定されない。支持部７２の面積は、平面であれば平面部分の面積、３点以上で支持する形態であれば各点を結んだ図形の面積によって示される。支持部の面積を上記の範囲に設定することによって、より正確に点ｇを求めることができる。
【００３０】
支持部７２によって支持された平面は水平または概ね水平になることが好ましい。ここで、概ね水平とは、水平面に対する傾きが２度以内、好ましくは１度以内のことである。水平または概ね水平になっているか否かは、例えば図１０に示すように、支持部７２に平面板７４を載せて支持させ、平面板７４の上に水準器７６を置き、確認し、調整することができる。上記範囲内に設定することによって、より正確に点ｇを求めることが可能になる。
慣性モーメント測定器５０の回転軸Ｒ及び点ｒは、慣性モーメント測定器５０により定められるものである。回転軸Ｒは鉛直または概ね鉛直になることが好ましい。ここで、概ね鉛直とは、鉛直方向に対する傾きが２度以内、好ましくは１度以内のことである。回転軸Ｒを鉛直または概ね鉛直に設定するためには、慣性モーメント測定器５０に設けられた水準器部分を目安に測定器の水平を調整すること、又は測定器を水平に調整された平面板上に設置すること等が考えられる。上記範囲内に設定することによって、ゴルフクラブヘッド１２の重心Ｇを通りフェース面１８に垂直な軸回りの慣性モーメントをより正確に測定することができる。
【００３１】
治具６１の上面部６２によって支持された平面は水平または概ね水平になることが好ましい。本発明における概ね水平とは、水平面に対する傾きが２度以内、好ましくは１度以内のことである。水平または概ね水平になっているか否かは、上記した図１０に示す支持部７２の例と同様な方法で確認し、調整することができる。上記範囲内に設定することによって、ゴルフクラブヘッド１２の重心Ｇを通りフェース面１８に垂直な軸回りの慣性モーメントをより正確に測定することができる。
【００３２】
また、治具６１は、治具自体の重心位置が回転軸Ｒに一致もしくは概ね一致するように慣性モーメント測定器５０に装着されることが好ましい。概ね一致とは、図１１に示すように治具６１の重心位置をＧ’  とすると、Ｇ’  と回転軸Ｒとのなす距離ｄ’  を２ｍｍ以内、好ましくは１ｍｍ以内とすることである。治具６１の重心位置をＧ’  を上記範囲内に設定することによって、ゴルフクラブヘッド１２の重心Ｇを通りフェース面１８に垂直な軸回りの慣性モーメントをより正確に測定することができる。
【００３３】
ゴルフクラブヘッド１２と治具６１とを固定するためには、両面テープ、粘土等の粘着体による固定、接着剤による固定、磁力を用いた固定等が考えられる。固定は、ゴルフクラブヘッド１２のフェース面１８と、治具６１の上面部６２によって固定されるが、フェース面１８が平面であれば、上面部６２は平面であることが好ましい。
このようにして、ゴルフクラブヘッド１２の重心Ｇを通りフェース面１８に垂直な軸回りの慣性モーメントを測定することができ、この慣性モーメントの値をゴルフクラブヘッド１２の質量で除算する。
【００３４】
このようなゴルフクラブヘッド１２の重心Ｇを通りフェース面１８に垂直な軸まわりの慣性モーメントは、特開２００１−２４６０２３号公報に示すように、ゴルフクラブヘッド１２のスイートエリアの大きさを正確に数値化することができるものである。ゴルフクラブヘッド１２の質量自体の増大によって慣性モーメントが大きくなる場合を除外するために、慣性モーメントを質量で除算した値を定めることで、ゴルフクラブヘッドのスイートエリアの大きさを実質的に評価することができる。
【００３５】
ゴルフクラブヘッド１２は、ネック長さＨが３５ｍｍ以上５５ｍｍ未満の場合、上記慣性モーメントを質量で除算した値を９．０（ｃｍ２）以上とし、ネック長さＨが５５ｍｍ以上７５ｍｍ以下の場合、上記慣性モーメントを質量で除算した値を１０．１（ｃｍ２）以上とする。このような、上記慣性モーメントを質量で除算した値を９．０（ｃｍ２）以上、あるいは１０．１（ｃｍ２）以上とするゴルフクラブヘッド１２は、ゴルフクラブヘッドのフェース面を大きくしてスイートエリアを広くした従来の打ち易さを追求したゴルフクラブにおいて実現され得るものであるが、ゴルフクラブヘッド１２のフェース長さＬ（図２参照）を８４ｍｍ以上９６ｍｍ以下としてフェース面１８をコンパクトにしつつ、打ち易さを備えたゴルフクラブは従来のゴルフクラブにない特徴を備えるものである。しかも、ゴルフボールに必要な打撃力を与えることができるようにゴルフクラブヘッドの質量を確保して従来のゴルフクラブの重さを同等とするために、ゴルフクラブヘッド１２の平均比重を８．５以上とする。
【００３６】
すなわち、本発明では、上記慣性モーメントを質量で除算した値、フェース長さＬの値、および、ゴルフクラブヘッドの平均比重の値を適正に設定することで、たまたまゴルフクラブヘッドの芯を外してゴルフボールを打撃しても飛距離がある程度確保できる打ち易さを備え、かつ、ライが変わってもゴルフボールの飛距離がある程度一定に保たれる扱い易いゴルフクラブを提供することができる。
【００３７】
このようなゴルフクラブ１０における、ゴルフボールを打撃するフェース面１８のロフト角度は２０度以上４０度以下であるのが好ましい。この範囲のロフト角度を持つゴルフクラブは、例えば３番アイアンから８番アイアンを含み、これらは、飛距離を稼ぐドライバー等のウッド系のゴルフクラブやゴルフボールをピンに向けて正確に近づけ、あわよくばカップにチップインさせるウエッジ等と異なり、ゴルフボールをグリーン等の目標方向に正確な飛距離で飛翔させることが機能として求められるものである。
【００３８】
ロフト角度は、ゴルフクラブシャフト１４のシャフト軸とフェース面１８との成す角度であり、図１２に示されるようなロフト角度測定器８０により測定される。図１３は、ゴルフクラブ１０をロフト角度測定器８０に取り付けた例を示し、図１３は、図１２中のゴルフクラブヘッド１２の周辺を拡大して示している。
【００３９】
ロフト角度の測定は、ゴルフクラブ１０をロフト角度測定器８０に取り付けた状態において、基準面８２に対してライ角度通りに設置するようにライ角度調整部８３において取り付け角度が調整され、次いで、ロフト角度測定器８０に取り付けられたゴルフクラブ１０は、ソール部１２ａが基準面８２に接するように、かつ、フェース角度調整具８６の先端部８６’にフェース面１８が密着するように、すなわち、フェース角が０°になるように、ゴルフクラブ１０がチャック部８８で固定される。
【００４０】
ここで、ライ角度通りに設置とは、ソール部１２ａが、図１４のように、ソール部１２ａのトウ側（Ｔ）とヒール側（Ｈ）の間で基準面８２とソール部１２ａの間に生じる隙間がトウ側とヒール側で略等しくなるように設置されることをいう。ソール部１２ａの凸状の部分が不明瞭な場合、フェース面１８に描かれるスコアラインが基準面８２と平行となるようにゴルフクラブ１０が設置される。さらに、ソール部１２ａの凸状の部分が不明瞭であり、かつスコアラインが直線状でなく基準面８２との平行が判別できない場合、ライ角度は、１００−ゴルフクラブ長さ（インチ）の値として設定されてライ角度通りに設置される。例えば、３６インチのゴルフクラブ長さの場合、ライ角度を６４度（＝１００−３６）とする。なお、ゴルフクラブ長さは、ゴルフクラブヘッドにおけるソール面とネック部の背部の接点からグリップエンド（キャップの丸みを含まない）までの長さであり、例えば、株式会社鴨下精衡所製のクラブ・メジャーＩＩ等の測定器を用いて、社団法人日本ゴルフ用品協会が基準とするトラディショナル・スタンダード測定法により測定される。
【００４１】
その後、図１５に示すように、ゴルフクラブヘッド１２のフェース面１８の基準面８２に垂直に立てた分度器９０を用いてロフト角度θが測定される。フェース面１８が平面の場合、上記測定によってロフト角度θが得られるが、フェース面１８が凸状に丸くなっている場合（主に一定の曲率をもったフェースロールが付いている場合）、フェース面１８の中点に分度器９０の測定面を接するように当てて測定される。
ゴルフクラブヘッド１２のロフト角度θの測定は、ゴルフクラブの状態にて測定してもよいし、上述したように、ゴルフクラブヘッド１２単体に真っ直ぐで嵌め合いの堅いシャフトピン等を差した状態で測定してもよい。ゴルフクラブヘッド１２単体で測定して得られるロフト角度θの数値は、ゴルフクラブの状態にて測定して得られるロフト角度θと実質的に同じである。
【００４２】
このような測定器は、市販されている公知のものであればよく、例えば、高爾夫球頭測度台（昇峰企業社製）やゴルフクラブアングル測定器（ゴルフギャレーヂ社製）やゴルフクラブゲージ（Ｇｏｌｆｓｍｉｔｈ社製）等が例示される。
【００４３】
また、本発明のゴルフクラブは、３番アイアンから９番アイアン、及びピッチングウェッジ（ＡＰ）、アプローチウェッジ（ＡＡ），サンドウェッジ（ＡＳ）までの各番手からなるゴルフクラブセットのうち、例えば、３番アイアンから８番アイアンのゴルフクラブに用いられるのが好ましい。
言い換えると、ゴルフクラブセットにおいて、ゴルフクラブセットを構成するゴルフクラブが本発明を満たすゴルフクラブによって構成されていることが好ましい。更に詳しくは、ゴルフクラブセットを構成する少なくともロフト角度が２０度以上４０度以下である番手のゴルフクラブが本発明を満たすゴルフクラブによって構成されていることが好ましい。
【００４４】
ここで、３番〜８、９番アイアンやピッチングウェッジ等の番手とは、主にロフト角度の異なったゴルフクラブをロフト角度の順番に並べることのできるように、各ゴルフクラブに付与した数字、文字、記号等によって表されたロフト角度の順番に関する識別情報の内容であり、各番手のロフト角度は、一定、または概ね一定の間隔で当業者によって適宜設定されている。また、番手が大きいとは、ロフト角度が大きい番手を指す。
【００４５】
これらのアイアンのゴルフクラブのロフト角度θ（度）は、例えば、３番アイアンが２１度、４番アイアンが２４度、５番アイアンが２７度、６番アイアンが３０度、７番アイアンが３４度、８番アイアンが３８度、９番アイアンが４２度、ＡＰが４７度、ＡＡが５２度、ＡＳが５７度と番手が大きくなるにつれ、ロフト角度θ（度）が大きくなっている。そして、ロフト角度θが２０度以上４０度以下の番手は、３番アイアン〜８番アイアンの６本の番手となっている。なお、アイアン３番アイアン〜ＡＳのロフト角度は、３番アイアンから６番アイアンまでは３度の刻み幅で大きくなり、７番アイアンから９番アイアンまでは４度の刻み幅で大きくなり、ＡＰからＡＳまでは５度の刻み幅で大きくなっているが、３番アイアン〜ＡＳのロフト角度の刻み幅は、これに限定されず、３度や４度等の一定の刻み幅であってもよい。
また、グリップ１６の端部からゴルフクラブヘッド１２の下端までのクラブ長さは、番手が大きくなるにつれ次第に短くなっている。
【００４６】
なお、前記ゴルフクラブセットは、１０本のアイアンをゴルフクラブセットとしたものであるが、ウッド系ゴルフクラブセット、ウッド系ゴルフクラブセットとアイアン系ゴルフクラブセットの境界を取り払ったようなゴルフクラブセット、ロングアイアンに相当するもののみのゴルフクラブセット、また、ウッド系ゴルフクラブとアイアン系ゴルフクラブの中間的性能を備えてどちらにも分類しがたいいわゆるユーティリティゴルフクラブを含めたゴルフクラブセット等、ロフト角度θ（度）が異なる複数本のゴルフクラブによって構成されるものも含まれる。
【００４７】
【実施例】
本発明のゴルフクラブの効果を調べるために、ロフト角度、平均比重、フェース長さＬ、ネック長さＨ、および、ゴルフクラブヘッドの重心を通りゴルフクラブヘッドのフェース面に垂直な軸回りの慣性モーメントをゴルフクラブヘッドの質量で除した値（ｃｍ２）（以降、Ｉ／Ｗとする）を、下記表１〜４に示すように、種々設定した５６本のゴルフクラブを作製し、ゴルフボールによる打球試験を行った。
【００４８】
ゴルフボールによる打球試験は、芝の長さ１５ｍｍのフェアウェイと、芝の長さ４０ｍｍのラフとから、５６本のゴルフクラブで１０球ずつ２０人のゴルファに打球してもらい、各ゴルフボールのトータルの飛距離を計測し、１０球の飛距離の標準偏差を求めた。そして、ラフから打球したゴルフボールの飛距離の標準偏差をフェアウェイから打球したゴルフボールの飛距離の標準偏差で除算して、飛距離のばらつき比を求め、２０人のゴルファの飛距離のばらつき比（以降、ばらつき比という）の平均値を求めた。このばらつき比が小さい程、ライが変わってもゴルフボールの飛距離がばらつかずゴルフクラブヘッドの扱い易さが向上することを示している。
【００４９】
下記表１は、ロフト角度が２５度であり、ネック長さＨが３５ｍｍ以上５５ｍｍ未満のゴルフクラブヘッド（実施例１〜８、比較例１〜６）について、下記表２は、ロフト角度が２５度であり、ネック長さＨが５５ｍｍ以上７５ｍｍ以下のゴルフクラブヘッド（実施例９〜１６、比較例７〜１２）について、下記表３は、ロフト角度が３５度であり、ネック長さＨが３５ｍｍ以上５５ｍｍ未満のゴルフクラブヘッド（実施例１７〜２４、比較例１３〜１８）について、下記表４は、ロフト角度が３５度であり、ネック長さＨが５５ｍｍ以上７５ｍｍ以下のゴルフクラブヘッド（実施例２５〜３２、比較例１９〜２４）について、それぞればらつき比と指数を表している。
指数は、ゴルフクラブヘッドのフェース面を広くすることでスイートスポットを広くした従来のゴルフクラブ（比較例１、７、１３、１９）のばらつき比を基準として（指数１００として）、各ゴルフクラブのばらつき比の指数を求めた。
【００５０】
【表１】
2004237020.tif 000003
【００５１】
【表２】
2004237020.tif 000004
【００５２】
【表３】
2004237020.tif 000005
【００５３】
【表４】
2004237020.tif 000006
【００５４】
表１、２、３、４によると、各実施例は、いずれも比較例に比べてばらつき比が小さく、指数においても比較例対比２０以上高い。
例えば、表１において説明すると、ゴルフクラブヘッドの平均比重が８．５を下回る比較例１および２では、平均比重が８．５以上の実施例１、２、３に比べてばらつき比が大きい。また、Ｉ／Ｗの値が９．０未満の比較例２および６では、平均比重の大小にかかわらず、実施例１、３および８に比べてばらつき比が大きい。また、フェース長さＬの長さが８４ｍｍを下回るフェース長さＬが８２ｍｍの比較例４は、フェース長さＬが８６ｍｍの実施例４に比べてばらつき比が大きい。フェース長さＬの長さが９６ｍｍを上回るフェース長さＬが９８ｍｍの比較例５は、フェース長さＬが９４ｍｍの実施例５に比べてばらつき比が大きい。
【００５５】
これより、いずれの実施例も、ライが変わってもゴルフボールの飛距離がばらつかずゴルフクラブヘッドの扱い易さが比較例に比べて向上することは明らかである。しかも、従来のゴルフクラブ（比較例１、７、１３、１９）と略同程度のＩ／Ｗの値を持つので、ティーアップの条件で、あるいは、ライが一定の条件で、ゴルフクラブヘッドの芯を外してゴルフボールを打球しても、飛距離のばらつきは従来のゴルフクラブヘッドと同様に小さい。
【００５６】
以上、本発明のゴルフクラブについて詳細に説明したが、本発明は上記実施例に限定はされず、本発明の要旨を逸脱しない範囲において、各種の改良および変更を行ってもよいのはもちろんである。
【００５７】
【発明の効果】
以上、詳細に説明したように、本発明は、ゴルフクラブヘッドの平均比重を８．５以上とし、ゴルフクラブヘッドのフェース長さを８４ｍｍ以上９６ｍｍ以下とし、かつ、ネック長さが３５ｍｍ以上５５ｍｍ未満の場合、ゴルフクラブヘッドの重心を通りゴルフクラブヘッドのゴルフボール打撃面に垂直な軸回りの慣性モーメントをゴルフクラブヘッドの質量で除した値を９．０（ｃｍ２）以上とするので、あるいは、ネック長さが５５ｍｍ以上７５ｍｍ以下の場合、上記慣性モーメントを上記質量で除した値を１０．１（ｃｍ２）以上とするので、ライが変わってもゴルフボールの飛距離がある程度一定に確保される扱い易いゴルフクラブであって、なおかつ、芯を外してゴルフボールを打撃しても飛距離がある程度確保できる打ち易さも備えたゴルフクラブを提供できる。
【図面の簡単な説明】
【図１】本発明のゴルフクラブの一例であるアイアン系のゴルフクラブの正面図である。
【図２】ゴルフクラブのフェース長さおよびネック長さを説明する図である。
【図３】ゴルフクラブヘッドの慣性モーメントを測定する慣性モーメント測定器を示す斜視図である。
【図４】（ａ）および（ｂ）は、図３に示す慣性モーメント測定器で慣性モーメントを測定する方法を説明する説明図である。
【図５】（ａ）〜（ｃ）は、ゴルフクラブヘッドの固定位置を説明する説明図である。
【図６】図５（ｂ）に示すゴルフクラブヘッドの固定位置をフェース面上にて説明する説明図である。
【図７】慣性モーメントを測定するために、重心を位置を測定する重心測定器を示す斜視図である。
【図８】図７に示す重心測定器にゴルフクラブヘッドを乗せた状態を示す正面図である。
【図９】（ａ）および（ｂ）は、図８に示すゴルフクラブヘッドを乗せる位置を説明する説明図である。
【図１０】図７に示す重心測定器の好ましい設置状態を説明する説明図である。
【図１１】慣性モーメントの測定に用いる治具の好ましい形態を説明する説明図である。
【図１２】ゴルフクラブのロフト角度を測定する測定器の概略斜視図である。
【図１３】図１２に示す測定器の要部を説明する説明図である。
【図１４】図１２に示す測定器でロフト角度を測定する方法を説明する説明図である。
【図１５】図１２に示す測定器でロフト角度を測定する方法を説明する他の説明図である。
【符号の説明】
１０  ゴルフクラブ
１２  ゴルフクラブヘッド
１４  ゴルフクラブシャフト
１６  グリップ
１８  フェース面
２０  ネック部
２２  基準面
５０  慣性モーメント測定器
５２  測定部
５４  演算部
５５  スタートレバー
５６  表示部
５７  操作ボタン
６１  治具
６２  上面部
７０  重心測定器
７２  支持部
７４  平面板
７６  水準器
８０  ロフト角度測定器
８２  基準面
８３  ライ角度調整部
８６  フェース角度調整具
８８  チャック部
９０  分度器
【図１】
2004237020.tif 000007
【図２】
2004237020.tif 000008
【図３】
2004237020.tif 000009
【図４】
2004237020.tif 000010
【図５】
2004237020.tif 000011
【図６】
2004237020.tif 000012
【図７】
2004237020.tif 000013
【図８】
2004237020.tif 000014
【図９】
2004237020.tif 000015
【図１０】
2004237020.tif 000016
【図１１】
2004237020.tif 000017
【図１２】
2004237020.tif 000018
【図１３】
2004237020.tif 000019
【図１４】
2004237020.tif 000020
【図１５】
2004237020.tif 000021